(57)【要約】【課題】  口金を郵便箱本体に固定する際の作業を簡単にすることができる、郵便箱の口金固定構造を提供する。【解決手段】  郵便箱本体１１の投入口用開口部１２に、郵便箱１の投入口２を構成する口金３を固定する口金固定構造であって、郵便箱本体１１の投入口用開口部１２の上縁に、外方に突出する係止受部１３を形成し、下縁に、内方に引っ込み傾斜する傾斜受部１４を形成するとともに、口金３の上縁に、内方に突出する係止部３１を形成し、下縁に、内方に突出傾斜する傾斜部３２を形成し、郵便箱本体１１の係止受部１３に口金３の係止部３１を係止するとともに、郵便箱本体１１の傾斜受部１４に口金３の傾斜部３２を当接し、斜め上方に向けて挿通した固着具４によって固定する。【選択図】図１
2006223457.tif 000002
【特許請求の範囲】
【請求項１】
郵便箱本体の投入口用開口部に、郵便箱の投入口を構成する口金を固定する口金固定構造であって、郵便箱本体の投入口用開口部の上縁に、外方に突出する係止受部を形成し、下縁に、内方に引っ込み傾斜する傾斜受部を形成するとともに、口金の上縁に、内方に突出する係止部を形成し、下縁に、内方に突出傾斜する傾斜部を形成し、郵便箱本体の係止受部に口金の係止部を係止するとともに、郵便箱本体の傾斜受部に口金の傾斜部を当接し、斜め上方に向けて挿通した固着具によって固定してなることを特徴とする郵便箱の口金固定構造。
【発明の詳細な説明】
【技術分野】
【０００１】
本願発明は、郵便箱の口金固定構造に関するものである。
【背景技術】
【０００２】
従来、郵便箱の投入口を構成する口金の固定構造としては、、たとえば、図３（Ａ）（Ｂ）に示したように、郵便箱本体１０１の投入口用開口部の前面に口金１０２を当接し、次いで郵便箱本体１０１の内部側から複数のネジ等の固着具１０３によって固定する口金の固定構造が知られている。なお、この図３の例では、投入口１０４および郵便物の取出口１０５それぞれに蓋体１０６ａ、１０６ｂを備えており、郵便箱本体１０１の内部の底部には中仕切板１０７も設置されている。また、ネジ等の固着具１０３については、図３（Ｂ）に例示したように、上下それぞれに挿通して、口金１０２を固定している。
【０００３】
また、たとえば、郵便箱を門扉に取り付ける構造として、口金と郵便箱本体とで門扉を挟み込み、郵便箱本体側からネジを挿通させて、口金を固定する構造も知られている（特許文献１）。
【特許文献１】特開２０００−０８３８００号公報
【発明の開示】
【発明が解決しようとする課題】
【０００４】
しかしながら、図３（Ａ）（Ｂ）に例示した口金の固定構造では、口金１０２の固定の際には、施工者は、矢印で示したように取出口１０５の蓋体１０６ｂを開けて、郵便箱１０１の内部に手をいれて、ネジ等の固着具１０３を締めて、口金１０２を郵便箱本体１０１に固定している。このため、郵便箱本体１０１の内部という限られた作業スペースで固定作業を行わなければならず、作業に手間がかかるという問題があった。また、リフォームやメンテナンスで口金１０２を交換する際には、たとえば、図３（Ｂ）に示したように、口金１０２を複数のネジ等の固着具１０３によって、上下それぞれに固定しているため、上記のとおり作業スペースが限られた状況で、上側のネジ等の固着具１０３を外し、また下側のネジ等の固着具１０３は、中仕切板１０７を外してからネジ等の固着具１０３を外す必要がある。そして、このようにして、口金１０２を外した後、新しい口金１０２を上記の作業工程で郵便箱本体１０１に固定する必要があるため、作業に手間がかかるという問題があった。
【０００５】
また、上記特許文献１記載の口金固定構造においても、図３（Ａ）（Ｂ）の例と同様に、取出口から施工者が、郵便箱本体の内部に手をいれてネジを締めて、口金を郵便箱本体に固定するため、その作業に手間がかかるという問題があった。
【０００６】
そこで、本願発明は、上記従来の問題点を解消するためになされたものであり、口金を郵便箱本体に固定する際の作業を簡単にすることができる、郵便箱の口金固定構造を提供することを課題とするものである。
【課題を解決するための手段】
【０００７】
本願発明は、上記の課題を解決するものとして、郵便箱本体の投入口用開口部に、郵便箱の投入口を構成する口金を固定する口金固定構造であって、郵便箱本体の投入口用開口部の上縁に、外方に突出する係止受部を形成し、下縁に、内方に引っ込み傾斜する傾斜受部を形成するとともに、口金の上縁に、内方に突出する係止部を形成し、下縁に、内方に突出傾斜する傾斜部を形成し、郵便箱本体の係止受部に口金の係止部を係止するとともに、郵便箱本体の傾斜受部に口金の傾斜部を当接し、斜め上方に向けて挿通した固着具によって固定してなることを特徴とする。
【発明の効果】
【０００８】
本願発明によれば、取出口から手を入れて郵便箱本体の内部で固着具を締めたり、緩めたりする必要がなく、郵便箱本体の外部から口金を郵便箱本体に固定できるため、口金の固定時、交換時等に口金を郵便箱本体に固定する際の作業を簡単にすることができる。
【発明を実施するための最良の形態】
【０００９】
本願発明は、上記のとおりの特徴をもつものであるが、以下に、添付した図面に沿って、本願発明の実施形態について詳細かつ具体的に説明する。
【００１０】
図１は、本願発明の郵便箱の口金固定構造の一実施形態を例示した図であり、（Ａ）は本願発明における郵便箱の概観の斜視図、（Ｂ）は（Ａ）の郵便箱の埋設状態を示す断面図である。図２は、図１のＸ部の要部拡大断面図であり、口金の係止前と係止後を例示している。
【００１１】
図１に沿って説明すると、本願発明は、郵便箱本体１１の投入口用開口部１２に、郵便箱１の投入口２を構成する口金３を固定する郵便箱の口金固定構造である。具体的には、郵便箱本体１１の投入口用開口部１２の上縁には、外方に突出する係止受部１３、たとえば、断面が略コの字型の係止受部１３を形成して、下縁には、内方に引っ込み傾斜する傾斜受部１４を形成する。これとともに、口金３の上縁には、内方に突出する係止部３１を形成し、下縁には、内方に突出傾斜する傾斜部３２、たとえば、先端部が郵便箱本体１１側に折れ曲がって形成されている傾斜部３２を形成する。そして、郵便箱本体１１の係止受部１３に口金３の係止部３１を係止する。
【００１２】
この係止受部１３と係止部３１との係止は、たとえば、図２の例のように、口金３の上縁に形成した係止部３１を上方から、郵便箱本体１１の係止受部１３に引掛けて、白矢印で示したように下方に降ろすことで、簡単に、しかも確実に係止させ、固定させることができる。そして、このように確実に口金３と郵便箱本体１１とが固定されることで、雨水の郵便箱１の内部への浸入も防止できる。さらに、この係止受部１３もしくは係止部３１にパッキン材等を使用することで、さらに効率よく雨水の浸入を防止することができる。
【００１３】
上記係止受部１３と係止部３１との係止とほぼ同時に、郵便箱本体１１の傾斜受部１４に口金３の傾斜部３２を当接し、ネジ等の固着具４によって固定している。このとき、ネジ等の固着具４は、図１（Ｂ）に例示したように、斜め上方に向けて挿通することで、郵便箱１の前面側からネジ等の固着具４の頭頂部が見えにくくなり、外観を損なうことがない。
【００１４】
そして、ブロック塀６等に郵便箱１が埋設されている場合、通常、郵便箱１とブロック塀６との間、つまり目地部にはクリアランスＳがあるが、ここにパッキン材５等を封入することで、このクリアランスＳを塞ぐことができ、雨水の浸入や埃の侵入を防止することができる。
【００１５】
また、リフォームやメンテナンスで、口金３を交換する際には、上記のとおりの固定作業の逆の手順で、簡単に口金３の取り外しができる。すなわち、口金３の下縁を固定しているネジ等の固着具４を外し、口金３の上縁を上に持ち上げるだけで、口金３の係止部３１を郵便箱本体１１の係止受部１３から外すことができ、口金３を郵便箱本体１１から簡単に取り外すことができる。さらに、口金３の部分が、ブロック塀６内に位置して郵便箱１が設置されている場合でも、目地部の前記クリアランスＳにて口金３を取り外しおよび固定することができるため、交換も簡単にできる。
【００１６】
このような特徴を有する郵便箱の口金固定構造により、道路側である郵便箱１の前面側、つまり、投入口用開口部１２側から口金３の固定作業および取り外し作業を行うことができるため、広い作業スペースで、しかも簡単に口金３の固定および取り外しを行うことができ、作業を簡単にすることができる。このため、専門の施工者だけでなく、一般の使用者でも口金３の固定および取り外しができる。
【００１７】
なお、口金３の上縁には、投入口２をカバーするために開閉自在の蓋体３３を設けてもよい。このとき、この蓋体３３はバネを介して設けることで、郵便物等の投函時には内側に押し込まれて開き、投函後にはバネによって閉じることができる。また、図には示していないが、取出口にも開閉自在の蓋体を設けてもよい。
【００１８】
もちろん、本願発明の郵便箱の口金構造は、以上の例示によって限定されるものではない。また、郵便箱本体１１の材質としては、たとえば、耐候性のあるＳＵＳ類やカルバリウム鋼板等が使用できる。また、口金３は、たとえば、ＡＤＣやＡＥＳ等の樹脂類等が使用できる。
【図面の簡単な説明】
【００１９】
【図１】本願発明の郵便箱の口金固定構造の一実施形態を例示した図であり、（Ａ）は本願発明における郵便箱の概観の斜視図、（Ｂ）は（Ａ）の郵便箱の埋設状態を示す断面図である。
【図２】図１のＸ部の要部拡大断面図であり、口金の係止前と係止後を例示している。
【図３】従来の郵便箱における口金の固定作業を例示した図であり、（Ａ）は断面図、（Ｂ）は（Ａ）のａ矢視図である。
【符号の説明】
【００２０】
１  郵便箱
１１郵便箱本体
１２  投入口用開口部
１３  係止受部
１４  傾斜受部
２  投入口
３  口金
３１  係止部
３２  傾斜部
３３  蓋体
４  固着具
５  パッキン材
６  ブロック塀
１０１  郵便箱本体
１０２  口金
１０３  固着具
１０４  投入口
１０５  取出口
１０６ａ、１０６ｂ  蓋体
１０７  中仕切板
【図１】
2006223457.tif 000003
【図２】
2006223457.tif 000004
【図３】
2006223457.tif 000005